(57)【要約】 【課題】カーテンを昇降させる昇降コードの昇降操作を、その絡み合いを防止して確実且つ容易に行い得る昇降カーテン装置を提供する。【解決手段】支持バー５に取着されて垂れるカーテン６を昇降操作する昇降コード９を、カーテン６の面部に上下方向に設けたコード挿通部に挿通させ、その下端をカーテン下端に固定する。昇降コード９は、支持バー５のコードガイドに案内され、支持バー５の一端部側に設けた案内部４９に案内されると共に、支持バー５の長さ方向に移動する移動部材４０に案内され、支持バーの一端部側に止着される。移動部材４０には、支持バー５の他端部側に設けたロック具３６を通して下方向に移動可能な１本の操作コード６５が案内され、操作コードの端部が支持バー５の他端部側に止着されている。操作コード６５を引き下げることに伴う移動部材４０の移動により、昇降コード９が引き上げられ、それに伴いカーテン６が引き上げられる。【選択図】図１９
2005058473.tif 000002
【特許請求の範囲】
【請求項１】
昇降コードを昇降操作することによって、上端側が支持バーに取着されたカーテンの上昇と下降を行うように構成された昇降カーテン装置であって、
前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされており、
又、前記した夫々の昇降コードは、前記支持バー又は前記カーテンの上端側に設けられたコードガイドに案内されると共に、前記支持バーの一方の端部側に設けた案内部に案内されて折り返され、且つ、前記支持バーの長さ方向に移動し得る移動部材に支持されており、又該移動部材には、前記支持バーの何れか一方の端部側に設けたロック具を通して下方向に移動可能な１本の操作コードが支持されており、前記ロック具に通された操作コードを引き下げることに伴う前記移動部材の、前記案内部から離れる方向への移動により、該移動部材に支持されている前記昇降コードが該離れる方向に移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とする昇降カーテン装置。
【請求項２】
昇降コードを昇降操作することによって、上端側が支持バーに取着されたカーテンの上昇と下降を行うように構成された昇降カーテン装置であって、
前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされており、
又、前記した夫々の昇降コードは、前記支持バー又は前記カーテンの上縁部に設けられたコードガイドに案内されると共に、前記支持バーの一方の端部側に設けた案内部に案内されて折り返され、且つ、その端部が、前記支持バーの長さ方向に移動し得る移動部材に止着されており、又該移動部材には、支持バーの前記他方の端部側に設けたロック具を通して下方向に移動可能な１本の操作コードの端部が止着されており、前記ロック具に通された操作コードを引き下げることに伴う前記移動部材の、支持バーの前記他方の端部側に向けての移動により、該移動部材に支持されている前記昇降コードが支持バーの該他方の端部側に向けて移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とする昇降カーテン装置。
【請求項３】
昇降コードを昇降操作することによって、上端側が支持バーに取着されたカーテンの上昇と下降を行うように構成された昇降カーテン装置であって、
前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされており、
又、前記した夫々の昇降コードは、前記支持バー又は前記カーテンの上縁部に設けられたコードガイドに案内されると共に、前記支持バーの一方の端部側に設けた案内部に案内されて折り返され、且つ、その端部が、前記支持バーの長さ方向に移動し得る移動部材に止着されており、又該移動部材には、支持バーの前記一方の端部側に設けたロック具を通して下方向に移動可能で、且つ支持バーの前記他方の端部側に設けた案内部に案内されて折り返された１本の操作コードの端部が止着されており、前記ロック具に通された操作コードを引き下げることに伴う前記移動部材の、支持バーの前記他方の端部側に向けての移動により、該移動部材に支持されている前記昇降コードが支持バーの該他方の端部側に向けて移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とする昇降カーテン装置。
【請求項４】
昇降コードを昇降操作することによって、上端側が支持バーに取着されたカーテンの上昇と下降を行うように構成された昇降カーテン装置であって、
前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされており、
又、前記した夫々の昇降コードは、前記支持バー又は前記カーテンの上縁部に設けられたコードガイドに案内されると共に、前記支持バーの一方の端部側に設けた案内部に案内されて折り返され、且つ、前記支持バーの長さ方向に移動し得る移動部材に設けた支持部に案内されて折り返され、その端部が支持バーの前記一方の端部側に止着されており、又、支持バーの前記他方の端部側に設けたロック具を通して下方向に移動可能な１本の操作コードが、前記移動部材に設けた支持部に案内されて折り返されると共に、その端部が、支持バーの前記他方の端部側に止着されており、前記ロック具に通された操作コードを引き下げることに伴う前記移動部材の、支持バーの前記他方の端部側に向けての移動により、該移動部材に支持されている前記昇降コードが支持バーの該他方の端部側に向けて移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とする昇降カーテン装置。
【請求項５】
昇降コードを昇降操作することによって、上端側が支持バーに取着されたカーテンの上昇と下降を行うように構成された昇降カーテン装置であって、
前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされており、
又、前記した夫々の昇降コードは、前記支持バー又は前記カーテンの上縁部に設けられたコードガイドに案内されると共に、前記支持バーの一方の端部側に設けた案内部に案内されて折り返され、且つ、前記支持バーの長さ方向に移動し得る移動部材に設けた支持部に案内されて折り返され、その端部が支持バーの前記一方の端部側に止着されており、又、支持バーの前記一方の端部側に設けたロック具を通して下方向に移動可能な１本の操作コードが、前記支持バーの他方の端部側に設けた案内部に案内されて折り返されると共に、前記移動部材に設けた支持部に案内されて折り返され、且つ、その端部が、支持バーの前記他方の端部側に止着されており、前記ロック具に通された操作コードを引き下げることに伴う前記移動部材の、支持バーの前記他方の端部側に向けての移動により、該移動部材に支持されている前記昇降コードが支持バーの該他方の端部側に向けて移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とする昇降カーテン装置。
【請求項６】
昇降コードを昇降操作することによって、上端側が支持バーに取着されたカーテンの上昇と下降を行うように構成された昇降カーテン装置であって、
前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされており、
又、前記した夫々の昇降コードは、前記支持バー又は前記カーテンの上縁部に設けられたコードガイドに案内されて折り返され、前記支持バーの一方の端部側に設けた案内部に案内せしめられると共に、前記支持バーの長さ方向に移動し得る移動部材に設けた支持部に案内されて折り返され、且つ、支持バーの前記一方の端部側に設けた案内部に案内されて折り返されると共に、その端部が前記移動部材に止着されており、又、支持バーの前記他方の端部側に設けたロック具を通して下方向に移動可能な１本の操作コードが、前記移動部材に設けた支持部に案内されて折り返されると共に、支持バーの該他方の端部側に設けた案内部に案内されて折り返され、その端部が前記移動部材に止着されており、前記ロック具に通された操作コードを引き下げることに伴う前記移動部材の、支持バーの前記他方の端部側に向けての移動により、該移動部材に支持されている前記昇降コードが支持バーの該他方の端部側に向けて移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とする昇降カーテン装置。
【請求項７】
昇降コードを昇降操作することによって、上端側が支持バーに取着されたカーテンの上昇と下降を行うように構成された昇降カーテン装置であって、
前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされており、
又、前記した夫々の昇降コードは、前記支持バー又は前記カーテンの上縁部に設けられたコードガイドに案内されて折り返され、前記支持バーの一方の端部側に設けた案内部に案内されて折り返されると共に、前記支持バーの長さ方向に移動し得る移動部材に設けた支持部に案内されて折り返され、前記支持バーの前記一方の端部側に設けた案内部に案内されて折り返され、その端部が前記移動部材に止着されており、又、支持バーの前記一方の端部側に設けたロック具を通して下方向に移動可能な１本の操作コードが、支持バーの前記他方の端部側に設けた案内部に案内されて折り返されると共に、前記移動部材に設けた支持部に案内されて折り返され、且つ、支持バーの前記他方の端部側に設けた案内部に案内され、その端部が前記移動部材に止着されており、前記ロック具に通された操作コードを引き下げることに伴う前記移動部材の、支持バーの前記他方の端部側に向けての移動により、該移動部材に支持されている前記昇降コードが支持バーの該他方の端部側に向けて移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とする昇降カーテン装置。
【発明の詳細な説明】
【技術分野】
【０００１】
本発明は、上端側が支持バーに取着されたカーテンの上昇と下降を、昇降コードを昇降操作することにより行い得るように構成された昇降カーテン装置に関するものである。
【背景技術】
【０００２】
例えば図４２に示すような二重昇降カーテン装置は、二台の昇降カーテン装置を前後に配設するよりも安価で、然も全体をコンパクトに構成できるために人気が高い。
同図に示す二重昇降カーテン装置ａの具体的な構成は、例えば窓部の上縁に沿って配設された直棒状の支持バーｃの前後に前のカーテンｄ１と後のカーテンｄ２を配置し、夫々のカーテンｄ１，ｄ２の上端側ｅ１，ｅ２を前記支持バーｃに取着し、該前後のカーテンｄ１，ｄ２の昇降を、夫々のカーテンに対応して取り付けた昇降コードｆ１，ｆ２を個別に操作して行なうように構成されていた。そして、前記前のカーテンｄ１に対応させて設けた前のロック具ｇ１と、後のカーテンｄ２に対応させて設けた後のロック具ｇ２を、前記支持バーｃの一方の端側の前後に位置をずらして固定する一方、該前のカーテンｄ１の一面側にその幅方向で所要間隔を置いて取り付けた例えば３本の昇降コードｆ１，ｆ１，ｆ１を纏めて前のロック具ｇ１に通し、該ロック具ｇ１を通った昇降コードの束ｊ１を下方に引くことによって、該前のカーテンｄ１が引き上げられる如くなし、所要のカーテン引き上げ状態で昇降コードをロックすることにより、前のカーテンｄ１の所要の引き上げ状態が保持されるように構成されていた。同様にして、後のカーテンｄ２に取り付けた例えば３本の昇降コードｆ２，ｆ２，ｆ２を纏めて前記後のロック具ｇ２に通し、該ロック具ｇ２を通った昇降コードの束ｊ２を下方に引くことによって後のカーテンｄ２を引上げ可能となし、所要の引上げ状態で昇降コードをロックすることにより、後のカーテンの所要の引上げ状態が保持されるように構成されていた。
【０００３】
しかしながら、かかる二重昇降カーテン装置ａによるときは、前後のロック具ｇ１，ｇ２が接近状態にあるために、前記前のロック具ｇ１を通って垂れた状態にある３本の昇降コードｆ１，ｆ１，ｆ１と、前記後のロック具ｇ２を通って垂れた３本の昇降コードｆ２，ｆ２，ｆ２が互いに絡まりやすく、カーテンの昇降操作を的確に行い難い問題があった。又、ロック具を通って垂れた状態の昇降コードが絡まらないにしても、昇降コードの本数が多いときは、垂れた昇降コードの一部のみを誤って掴んで引き下げようとする場合が生じ、このようになるとカーテンの引き上げ状態が各部不均一になる問題が発生する。加えて、ロック具から何本もの昇降コードが垂れた状態になることは、カーテン装置の見栄えを損なう問題もあった。
【０００４】
なお二重昇降カーテン装置としては、例えば図４３に示すように、前のカーテンｄ１に対応させて設けた前のロック具ｇ１と、後のカーテンｄ２に対応させて設けた後のロック具ｇ２を、前記支持バーｃの両端側に固定するタイプのものもある。このような構成を採用した場合は、前後のロック具ｇ１，ｇ２を前記支持バーｃの一方の端側の前後に設けたものとは異なり、前後の昇降コードが互いに絡み合う問題は発生しない。しかしながら、例えば３本の昇降コードの下端に取り付けた球状等をなす操作用摘みｍが例えば図４３に矢印で示すように、誤って、垂れた昇降コードｎ，ｎ間に入り込んで捻じれた状態になる恐れがあり、昇降コードの下方への引下げの障害になる場合が発生する。又、前記のように、複数本の昇降コードの一部のみを誤って引き下げようとする場合が生じ、カーテンの引き上げ状態が不均一となる問題も発生した。又、ロック装置から何本もの昇降コードが垂れ下がった状態になることは、カーテン装置の見栄えを損なう問題もあった。このような問題点は、一重の昇降カーテン装置にあっても同様に発生した。
【特許文献１】特開２００３−９３２２１号公報（第３−７頁、図２）
【特許文献２】特開平９−２２１９６９号公報（第５頁、図１）
【発明の開示】
【発明が解決しようとする課題】
【０００５】
本発明は、前記従来の問題点に鑑みて開発されたものであり、前後のロック装置が支持バーの一端側に固定された状態にある前記二重昇降カーテン装置において、昇降コードの互いの絡まりを生じさせることなく、前後のカーテンに係る昇降コードの全てを確実に昇降操作できる昇降カーテン装置の提供を課題とするものである。又、支持バーの両端側にロック具が固定されてなる前記二重昇降カーテン装置や、一重の昇降カーテン装置にあっても、カーテンに付設された複数本の昇降コードの全てを確実に昇降操作することができる昇降カーテン装置の提供を課題とするものである。そしてこれらの昇降カーテン装置において、その昇降操作部分の見た目を向上させることのできる昇降カーテン装置の提供を課題とするものである。
【課題を解決するための手段】
【０００６】
前記課題を解決するため、本発明は以下の手段を採用する。
即ち本発明に係る昇降カーテン装置は、昇降コードを昇降操作することによって、上端側が支持バーに取着されたカーテンの上昇と下降を行うように構成された昇降カーテン装置であって、前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされている。又、前記した夫々の昇降コードは、前記支持バー又は前記カーテンの上端側に設けられたコードガイドに案内されると共に、前記支持バーの一方の端部側に設けた案内部に案内されて折り返され、且つ、前記支持バーの長さ方向に移動し得る移動部材に支持されている。又該移動部材には、前記支持バーの何れか一方の端部側に設けたロック具を通して下方向に移動可能な１本の操作コードが支持されており、前記ロック具に通された操作コードを引き下げることに伴う前記移動部材の、前記案内部から離れる方向への移動により、該移動部材に支持されている前記昇降コードが該離れる方向に移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とするものである。
【０００７】
本発明に係る昇降カーテン装置のより具体的な態様は、昇降コードを昇降操作することによって、上端側が支持バーに取着されたカーテンの上昇と下降を行うように構成された昇降カーテン装置であって、前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされている。又、前記した夫々の昇降コードは、前記支持バー又は前記カーテンの上縁部に設けられたコードガイドに案内されると共に、前記支持バーの一方の端部側に設けた案内部に案内されて折り返され、且つ、その端部が、前記支持バーの長さ方向に移動し得る移動部材に止着されている。又該移動部材には、支持バーの前記他方の端部側に設けたロック具を通して下方向に移動可能な１本の操作コードの端部が止着されており、前記ロック具に通された操作コードを引き下げることに伴う前記移動部材の、支持バーの前記他方の端部側に向けての移動により、該移動部材に支持されている前記昇降コードが支持バーの該他方の端部側に向けて移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とするものである。
【０００８】
本発明に係る昇降カーテン装置のより具体的な他の態様は、昇降コードを昇降操作することによって、上端側が支持バーに取着されたカーテンの上昇と下降を行うように構成された昇降カーテン装置であって、前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされている。又、前記した夫々の昇降コードは、前記支持バー又は前記カーテンの上縁部に設けられたコードガイドに案内されると共に、前記支持バーの一方の端部側に設けた案内部に案内されて折り返され、且つ、その端部が、前記支持バーの長さ方向に移動し得る移動部材に止着されている。又該移動部材には、支持バーの前記一方の端部側に設けたロック具を通して下方向に移動可能で、且つ支持バーの前記他方の端部側に設けた案内部に案内されて折り返された１本の操作コードの端部が止着されており、前記ロック具に通された操作コードを引き下げることに伴う前記移動部材の、支持バーの前記他方の端部側に向けての移動により、該移動部材に支持されている前記昇降コードが支持バーの該他方の端部側に向けて移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とするものである。
【０００９】
本発明に係る昇降カーテン装置のより具体的なその他の態様は、昇降コードを昇降操作することによって、上端側が支持バーに取着されたカーテンの上昇と下降を行うように構成された昇降カーテン装置であって、前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされている。又、前記した夫々の昇降コードは、前記支持バー又は前記カーテンの上縁部に設けられたコードガイドに案内されると共に、前記支持バーの一方の端部側に設けた案内部に案内されて折り返され、且つ、前記支持バーの長さ方向に移動し得る移動部材に設けた支持部に案内されて折り返され、その端部が支持バーの前記一方の端部側に止着されている。又、支持バーの前記他方の端部側に設けたロック具を通して下方向に移動可能な１本の操作コードが、前記移動部材に設けた支持部に案内されて折り返されると共に、その端部が、支持バーの前記他方の端部側に止着されており、前記ロック具に通された操作コードを引き下げることに伴う前記移動部材の、支持バーの前記他方の端部側に向けての移動により、該移動部材に支持されている前記昇降コードが支持バーの該他方の端部側に向けて移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とするものである。
【００１０】
本発明に係る昇降カーテン装置のより具体的なその他の態様は、昇降コードを昇降操作することによって、上端側が支持バーに取着されたカーテンの上昇と下降を行うように構成された昇降カーテン装置であって、前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされている。又、前記した夫々の昇降コードは、前記支持バー又は前記カーテンの上縁部に設けられたコードガイドに案内されると共に、前記支持バーの一方の端部側に設けた案内部に案内されて折り返され、且つ、前記支持バーの長さ方向に移動し得る移動部材に設けた支持部に案内されて折り返され、その端部が支持バーの前記一方の端部側に止着されている。又、支持バーの前記一方の端部側に設けたロック具を通して下方向に移動可能な１本の操作コードが、前記支持バーの他方の端部側に設けた案内部に案内されて折り返されると共に、前記移動部材に設けた支持部に案内されて折り返され、且つ、その端部が、支持バーの前記他方の端部側に止着されており、前記ロック具に通された操作コードを引き下げることに伴う前記移動部材の、支持バーの前記他方の端部側に向けての移動により、該移動部材に支持されている前記昇降コードが支持バーの該他方の端部側に向けて移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とするものである。
【００１１】
本発明に係る昇降カーテン装置のより具体的なその他の態様は、昇降コードを昇降操作することによって、上端側が支持バーに取着されたカーテンの上昇と下降を行うように構成された昇降カーテン装置であって、前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされている。又、前記した夫々の昇降コードは、前記支持バー又は前記カーテンの上縁部に設けられたコードガイドに案内されて折り返され、前記支持バーの一方の端部側に設けた案内部に案内せしめられると共に、前記支持バーの長さ方向に移動し得る移動部材に設けた支持部に案内されて折り返され、且つ、支持バーの前記一方の端部側に設けた案内部に案内されて折り返されると共に、その端部が前記移動部材に止着されている。又、支持バーの前記他方の端部側に設けたロック具を通して下方向に移動可能な１本の操作コードが、前記移動部材に設けた支持部に案内されて折り返されると共に、支持バーの該他方の端部側に設けた案内部に案内されて折り返され、その端部が前記移動部材に止着されており、前記ロック具に通された操作コードを引き下げることに伴う前記移動部材の、支持バーの前記他方の端部側に向けての移動により、該移動部材に支持されている前記昇降コードが支持バーの該他方の端部側に向けて移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とするものである。
【００１２】
本発明に係る昇降カーテン装置のより具体的なその他の態様は、昇降コードを昇降操作することによって、上端側が支持バーに取着されたカーテンの上昇と下降を行うように構成された昇降カーテン装置であって、前記カーテンの幅方向の少なくとも両側において、前記昇降コードが、該カーテンの面部に上下所要間隔で設けられたコード挿通部に上から下に向けて挿通せしめられ、その下端側が該カーテンの上下方向の所要部位に固定状態とされている。又、前記した夫々の昇降コードは、前記支持バー又は前記カーテンの上縁部に設けられたコードガイドに案内されて折り返され、前記支持バーの一方の端部側に設けた案内部に案内されて折り返されると共に、前記支持バーの長さ方向に移動し得る移動部材に設けた支持部に案内されて折り返され、前記支持バーの前記一方の端部側に設けた案内部に案内されて折り返され、その端部が前記移動部材に止着されている。又、支持バーの前記一方の端部側に設けたロック具を通して下方向に移動可能な１本の操作コードが、支持バーの前記他方の端部側に設けた案内部に案内されて折り返されると共に、前記移動部材に設けた支持部に案内されて折り返され、且つ、支持バーの前記他方の端部側に設けた案内部に案内され、その端部が前記移動部材に止着されており、前記ロック具に通された操作コードを引き下げることに伴う前記移動部材の、支持バーの前記他方の端部側に向けての移動により、該移動部材に支持されている前記昇降コードが支持バーの該他方の端部側に向けて移動して前記夫々の昇降コードを引き上げることができ、それに伴いカーテンが引き上げられるようになされ、該カーテンの所要の引き上げ状態を、前記ロック具による操作コードロック作用によって保持可能としたことを特徴とするものである。
【発明の効果】
【００１３】
本発明は、以下の如き優れた効果を奏する。
(1) 本発明に係る昇降カーテン装置は、昇降コードの昇降操作を、支持バーの長さ方向に移動し得る移動部材を介して１本の操作コードの上げ下げにより行なう構成を採用するため、常に、１本の操作コードの上げ下げによってカーテンの昇降動作を容易且つ確実に行なわせることができる。
従って、カーテンに対応して設けられた複数本の昇降コードの束を上げ下げする従来装置におけるような、昇降コードが絡み合って昇降操作に困難が伴うといった問題を解消できると共に、一部の昇降コードのみを掴んで昇降操作して、カーテンの昇降が不安定化するといった問題を発生させることもない。
更に、ロック具から垂れる操作コードが１本であって、従来の昇降カーテン装置１におけるような束状ではないため、昇降カーテン装置の昇降操作部分を、外観上スッキリしたものとなし得る。又、昇降コードの昇降操作を１本の操作コードの上げ下げによって行なうため、ロック具をコンパクトに構成可能である。
【００１４】
(2) 特に、移動部材に設ける案内部を動滑車として形成する場合のように、昇降コードを該案内部で折り返す構成を採用するときは、移動部材の移動量の整数倍に相当する長さ分、昇降コードを昇降操作できるため、丈の長いカーテンであっても昇降操作できる利点がある。
【００１５】
(3) 移動部材に設けた動滑車に操作コードを案内させる構成を採用することにより、より小さな力でカーテンの引き上げを行い得る利点がある。
【実施例１】
【００１６】
図１〜４において本発明に係る昇降カーテン装置１は、窓部２の上縁３に沿って配設された直棒状の支持バー５の前後にカーテン６（前のカーテン６ａと後のカーテン６ｂと区別する）を配置し、夫々のカーテン６ａ，６ｂの上端側７，７を前記支持バー５に取着し、該前後のカーテン６ａ，６ｂの昇降を、夫々のカーテンに対応させて設けた昇降コード９を個別に操作して行なうように構成された二重昇降カーテン装置として応用されている。
【００１７】
前記支持バー５は、本実施の形態においては図５〜６、図８に示すように、頂片１０の両側部及び長手中央部に前の側片１１と後の側片１２と中央の側片１３を下設した構成を有しており、前の側片１１と中央の側片１３との間、及び、後の側片１２と中央の側片１３との間に、前の溝状空間１５と後の溝状空間１６が形成されたボックス型をなす。
【００１８】
又、前の側片１１の下端と中央の側片１３の下端には、内方に屈曲し且つ先端で下方に屈曲したＬ字状取付片１７，１７が向き合う状態で突設されている。同様に、後の側片１２と中央の側片１３の下端にも、Ｌ字状取付片１７，１７が向き合う状態で突設されている。
【００１９】
又、前の側片１１の前面側の上下には、図８に示すように、前記前後のカーテン６ａ，６ｂの上縁部分７，７を着脱可能に固定するための面状ファスナの一片２２の上下の端部分２３，２４を、前の側片１１とで保持するＬ字状保持片２６，２７が向き合う状態で突設されている。同様に、後の側片１２の後面側の上下にも、Ｌ字状保持片２６，２７が向き合う状態で突設されている。更に、前記頂片１０の上面の前後部には、内方に向き合う状態で、例えば天井部２９に当接するＬ字状当接片３０，３０が向き合う状態で突設されている。又、該頂片１０の上面の長手中央線に沿って、Ｔ字状当接片３１が突設され、それらの上面３２が前記天井部２９に当接する。そして、該支持バー５は、ビス２８によって天井部２９に固定される。
【００２０】
かかる構成を有する支持バー５の左端側には、図５、図７に示すように、第１の端面部材３３が固定されると共に、該第１の端面部材３３の右方に稍離して案内部材３５が固定される。又、前記支持バー５の右端側には図６に示すように、ロック具３６を具える第２の端面部材３７が固定される。又、前記前後の溝状空間１５，１６の下端部分にコードガイド部材３９，３９が取り付けられると共に、該前後の溝状空間１５，１６内には、図１３〜１４に示すように、支持バー５の長さ方向に移動し得る移動部材４０，４０が納められる。
【００２１】
前記コードガイド部材３９は、図５〜８に示すように、左右に位置するローラとしてのコードガイド４１と、左上に位置するピンとしてのコードガイド４１が、７ｍｍ程度の間隔を置いて左右に配置された部材本体４２と、前記向き合う状態に設けられたＬ字取付片１７，１７を該部材本体４２の下端の前後部分４３，４５との間で挾持し得る挾持片４６とを具える。そして、ビス４７の締め付けにより、図８に示すように、該挾持片４６と前記部材本体４２との間で前後のＬ字状取付片１７，１７を挾持でき、これにより、該コードガイド部材３９を支持バー５に固定できる。該コードガイド部材３９は、図９に示すように、支持バー５の左右端側部位及び中央部位に固定される。
【００２２】
又前記案内部材３５は、図５、図７、図９に示すように、前記第１の端面部材３３と、左端に位置する前記コードガイド部材３９との間に位置しており、ローラとしての案内部４９が設けられた部材本体５０と、前記向き合う状態に設けられたＬ字状取付片１７，１７を該部材本体５０の下端の前後部分５１，５２との間で挾持し得る挾持片５３とを具え、ビス５５の締め付けによって、図７に示すように、該挾持片５３と前記部材本体５０との間で前後のＬ字状取付片１７，１７を挾持できる。
【００２３】
又、左側に位置する前記第１の端面部材３３は、図５、図７に示すように、前記ボックス型の支持バー５の左端開放部を閉蓋し得る矩形板状をなす端面板５６を具えた部材本体５７と、前記前後のＬ字状取付片１７，１７を該部材本体５７との間でビス締め５４により挾持する挾持片５９とを具えており、該端面板５６の上端寄り部位には、前記昇降コード９の端部分を挿通状態に止着する挿通孔６０が、前後方向に所要間隔を置いて設けられている。
【００２４】
又、右側に位置する前記第２の端面部材３７は、図６、図１０に示すように、前記ボックス型の支持バー５の右端開放部を閉蓋し得る矩形板状をなす端面板６１を具えた部材本体６２と、前記前後のＬ字状取付片１７、１７を該部材本体６２との間でビス締め５４により挾持する挾持片５８とを具えており、該部材本体６２に、前記溝状空間１５，１６内に挿入せしめられるロック具３６が設けられている。又、該端面板６１の上端寄り部位には、後述する操作コード６５の端部分を挿通状態に止着する挿通孔６４が、前後方向に所要間隔を置いて設けられている。
【００２５】
該ロック具３６は、図１０に示すように、三角形突部６６が周方向に連続して設けられてなる上下の挾持ローラ６７，６９を具えるスライド部材７０が、矩形箱状のケース７１内で左右方向で移動可能に設けられている。そして、前記スライド部材７０が左端に位置する状態においては、図１１に示すように、該ケース７１の内側の左端面に設けられた三角形凹部７２に、前記上下の挾持ローラ６７，６９の前記三角形突部６６が嵌まり合うように構成されている。
【００２６】
該スライド部材７０は、図１０（Ｂ）に示すように、前記ケース７１の下面部７３に設けられた、ハート型にループを描く係合溝７５に、前記スライド部材７０の下面に設けられ且つ前後動可能の係合突部７６を嵌合させてなり、該係合突部７６が該ループ状の係合溝７５を一定方向に回って、図１１に示すように、該係合突部７６が係合溝７５の左端凹部７７に嵌まり合った係合状態となることにより、前記三角形突部６６と三角形凹部７２とが嵌まり合った係合状態（噛み合った状態）となり、この状態で維持される。一方、図１０に示すように、該係合突部７６が該係合溝７５の右端凹部７９に嵌まり合った係合状態となることにより、上下の挾持ローラ６７，６９が前記三角形凹部７２から右方向に離れた状態となり、この状態で、上下の挾持ローラ６７，６９が回転自在である。
【００２７】
又該ケース７１内には、図１０（Ａ）に示すように、その左端中央部に設けられた開口８０を通して操作コード６５が導入されると共に、該操作コードが前記上下の挾持ローラ６７，６９で挾持されて後、該ケース７１内の右端側に設けられた案内ローラ８１に案内されて下方向に引き出されるようになされている。そして、該三角形凹部７２と三角形突部６６とが図１１（Ａ）に示すように嵌まり合った状態（噛み合った状態）で、上下の挾持ローラ６７，６９の回転が阻止され、これにより、操作コード６５の左方向への移動が阻止される。
【００２８】
カーテン６が完全に下ろされた状態においては、図１０（Ｂ）に示すように、前記係合突部７６が前記ループ状の係合溝７５の右端凹部７９に嵌まり合った係合状態にある。この状態で操作コード６５を引き上げると、前記上下の挾持ローラ６７，６９が回転しない状態でスライド部材７０が右方向にスライドし、該係合突部７６は、図１０（Ｂ）に破線で示すように、係合溝７５の前端側７５ａに位置する。この状態では、前記三角形突部６６と前記三角形凹部７２との嵌合による係合が解除されているため、前記上下の挾持ローラ６７，６９が回転可能である。従って、該挾持ローラ６７，６９の回転を伴いながら前記操作コード６５を引き下げることができ、これにより、前記カーテン６を引き上げることができる。その後、操作コード６５から手を離すと、前記スライド部材７０が左方向にスライドし、図１１（Ｂ）に示すように、前記係合突部７６が前記係合溝７５の左端凹部７７に嵌まり合った係合状態になる。このとき、前記三角形突部６６と前記三角形凹部７２とが噛み合った状態となり、上下の挾持ローラ６７，６９の回転が阻止され、操作コード６５の左方向への移動が阻止されて、カーテン６が所要の引き上げ状態で保持されることになる。
【００２９】
このようにして引き上げられた状態にあるカーテン６を下ろすときには、前記操作コード６５を若干引き上げた後にこれを緩める。このとき、図１１（Ｂ）に示すように、前記係合突部７６が前記ループ状の係合溝７５を矢印で示すように回って、図１１（Ｂ）に示すように、該係合突部７６が係合溝の右端凹部７９に嵌まり合った状態となる。この状態では、前記三角形突部６６と前記三角形凹部７２との噛み合い状態が解除されているため、前記上下の挾持ローラ６７，６９の自由回転によって、カーテン６が下ろされていき、例えば図１〜２に示すように完全に下ろされた状態となる。カーテン６の下降を途中で止めるときは、前記操作コード６５を若干引き下げて後にこれを戻すと、図１１（Ｂ）に示すように、前記係合突部７６が前記係合溝７５の左端凹部７７に嵌まり合った係合状態となり、この状態で図１１（Ａ）に示すように、上下の挾持ローラ６７，６９の三角形突部６６と前記三角形凹部７２とが噛み合い状態となり、上下の挾持ローラ６７，６９の回転が阻止され、従って、カーテン６の下端８２が、図３に示すように所要高さで保持される。
【００３０】
又前記移動部材４０は、図１２〜１３に示すように、部材本体８３の左右に、ローラ（動滑車）としての支持部８５，８６が、軸線回りに回動自在に設けられており、左側のローラ状支持部８５は右側のローラ状支持部８６よりも稍長く形成されている。
【００３１】
そして、３本の昇降コード９，９，９の夫々が、図１４〜１５、図７に示すように、前記ローラ状コードガイド４１ａとピン状コードガイド４１ｂに案内されて前記ローラ状案内部４９に向けて延長され、該ローラ状案内部４９で折り返されて右方向に延長せしめられ、その後、前記移動部材４０の左側の長軸のローラ状支持部８５に案内されて左方向に折り返されて後、図１５、図７に示すように、該昇降コード９の端部分８７が、前記第１の端面部材３３の端面板５６に設けられた前記挿通孔６０に挿通せしめられ、外部に突出した端部分に結び目８８が形成されて抜け止め止着されている。なお本実施の形態においては、２本の昇降コード９，９の端部分８７，８７が同一の挿通孔６０に挿通せしめられ、その端部分に結び目８８が形成されている。
【００３２】
又、前記移動部材４０の右側に位置する短軸のローラ状案内部８６には、図１０（Ａ）、図１４に示すように、支持バー５の右端部側に装着された前記第２の端面部材３７の端面板６１に設けられた挿通孔６４を挿通して端部に結び目８８が形成された操作コード６５の１本が案内され、右方向に折り返され、その延長部分が前記開口８０（図１０（Ａ））を通して前記ケース７１内に導入せしめられ、上下の挾持ローラ６７，６９に挾持されて後、前記案内ローラ８１に案内されて下方向に延長せしめられ、その下端８９が、図２、図１６に示すように、前記カーテン６の右端の下端部分９０に固定されている。なお該操作コード６５の上下延長部分には、図１〜４に示すように、例えば円柱状をなす摘み片９１が取り付けられている。
【００３３】
又、前記前のカーテン６ａは、図１〜４、図１６〜１７に示すように室内側に配置され、暗幕生地やプリント生地を用いた、全体がシート状を呈する遮光カーテンとして形成されており、下端に設けた袋状収容部９２にウエイトバー９３が収容されると共に、上端側７には、図１７に示すように、前記支持バー５の前面に固定された前記面状ファスナ２２と着脱自在に係合し得る面状ファスナ９６が取り付けられている。
【００３４】
そして該前のカーテン６ａの後の面９７には、図４、図１６〜１８に示すように、左右方向（カーテンの幅方向）に所要間隔で配設される前記昇降コード９を挿通させるためのコード挿通部９９が、前記３本の昇降コード９，９，９に対応させて上下方向に所要間隔で並設されている。そして最下端に位置するコード挿通部９９ａの稍下側に位置させて、図１６に示すようにコード取付部１００が設けられている。
【００３５】
一方前記後のカーテン６ｂは、図１〜４、図１６〜１７に示すように窓側に配置され、レース生地を用いた、全体がシート状を呈する透光性カーテンとして形成されており、前記前のカーテン６ａと同様にして、下端に設けた袋状収容部９２にウエイトバー９３が収容されると共に、上端側には、前記支持バー５の後面に固定された前記面状ファスナ２２と着脱自在に係合し得る面状ファスナ９６が取り付けられている。そして該後のカーテン６ｂの上端部分１０１には、図４、図１７に示すように、該上端部分の両端側と中央部分に、コード挿通孔１０２が鳩目を用いて形成されている。又該カーテン６ｂの後の面１０３には、図４に示すように、その両端側と中央部分に位置させて、前記昇降コード９を挿通させるためのコード挿通部９９が、各昇降コード９に対応させて上下方向に所要間隔で並設されている。そして、最下端に位置するコード挿通部９９ａの稍下側に位置させて、図１６に示すようにコード取付部１００が設けられている。
【００３６】
又、前の溝状空間１５に取り付けられた３個のコードガイド部材３９，３９，３９に案内されて垂らされた昇降コード９，９，９は、共に、１本の紐状に形成されており、図１、図４、図１６〜１８に示すように、前のカーテン６ａの後の面９７に上下方向に並設された前記コード挿通部９９に上から下に向けて順次挿通せしめられると共に、その下端部１０５が図１６に示すように、前記コード取付部１００に固定状態とされている。
【００３７】
又、後の溝状空間１６に取り付けられた３個のコードガイド部材３９，３９，３９に案内されて垂らされた昇降コード９，９，９は、共に、１本の紐状に構成されており、図１、図４、図１６〜１８に示すように、後のカーテン６ｂの上端部分１０１に形成された前記コード挿通孔１０２を通して後側に配置され、該後のカーテン６ｂの後の面１０３に上下方向に並設された前記コード挿通部９９に上から下に向けて順次挿通せしめられると共に、その下端部１０５が図１６に示すように、前記コード取付部１００に固定状態とされている。
【００３８】
前記移動部材４０は、前後のカーテン６ａ，６ｂが最下降状態において、図１９に示すように、前記前後の溝状空間１５，１６の左端部側に位置すると共に、前後のカーテン６ａ，６ｂが最上昇状態において、図２０に示すように、前記前後の溝状空間１５，１６の右端部側に位置する。なお、図１９〜２０においては、便宜上、支持バー５、左側に位置する第１の端面部材３３を簡略に表わしている。このことは、図２１〜２２、図２４〜２５、図２８〜２９、図３０〜３１、図３２〜３３においても同様である。
【００３９】
然して、前後のカーテン６ａ，６ｂが図１〜２に示すように完全に下ろされた状態において、垂下する操作コード６５を下方に引くと、図１９に矢印で示すように、左端側Ａに存する前記移動部材４０が、支持バー５の右端に向けて移動せしめられ、それに伴い、垂れた状態にある前記３本の昇降コード９，９，９が引き上げられ、図３に示すように、前のカーテン６ａが、ひだ状部分１０６が積み重なる状態で引き上げられていく。
【００４０】
本実施の形態においては、昇降コード９の上端側１０７（図１９）が、前記ローラ状コードガイド４１ａとピン状コードガイド４１ｂとローラ状案内部４９に案内された後、前記移動部材４０の左の動滑車（ローラ状支持部）８５に案内せしめられているため、該移動部材４０が支持バー５の左端側Ａから右端側Ｂに向けて図１９に矢印で示すように移動すると、その移動量の２倍に相当する長さの分だけ、垂れた状態の昇降コード９が引き上げられることになる。そして、前記操作コード６５は、前記ロック具３６に設けられた案内ローラ８１と前記移動部材４０の右の動滑車（ローラ状支持部）８６に案内せしめられているため、前記摘み片９１を手で持って操作コード６５を図１９に矢印で示すように引き下げると、該操作コード６５の引き下げ長さの１／２に相当する量だけ、前記移動部材４０が右方向に移動することになる。これらによって、操作コード６５を引き下げた分だけ、前のカーテン６ａが、ひだ状部分１０６が積み重なる状態で引き上げられていく。なお、前記移動部材４０の右のローラ状支持部８６が動滑車であるため、操作コード６５の引き下げ力は、移動部材４０を移動させるに要する力の半分で済み、且つ、引き下げを軽く行なうことができる。
【００４１】
そして、所要の引き上げ状態で、前記昇降コード９から手を離すと、前記スライド部材７０が左方向に移動して、図１１（Ａ）に示すように、前記三角形突部６６が、前記三角形凹部７２と噛み合う。これにより、上下の支持ローラ６７，６９の回転が阻止されて昇降コード９がロックされ、例えば図２０に示すように、前のカーテン６ａの所要の引き上げ状態が保持されることになる。
【００４２】
この引き上げ状態で、前記操作コード６５を若干引き下げて戻すと、図１０（Ａ）に示すように、前記スライド部材７０が右方向に移動し、それに伴い、前記係合突部７６が該ループ状の係合溝７５を回って、該係合突部７６が係合溝７５の右端凹部７９と係合状態となる。この状態では、前記三角形突部６６と前記三角形凹部７２との噛み合い状態が解除されるため、前記上下の挾持ローラ６７，６９の自由回転によって、前記操作コード６５が左方向に自由に移動可能となる。それに伴い、積み重なり状態にある前記ひだ状部分１０６の自重の作用によって、移動部材４０が左方向に自動的に移動し、該移動部材４０の移動量の２倍の長さに相当する分だけ、前のカーテン６ａが下ろされることになる。
【００４３】
図３は、透光性を有する後のカーテン６ｂが、完全に下ろされた状態において、遮光性を有する前のカーテン６ａを引き上げた状態を示すものである。この状態で、後に位置する操作コード６５を、その摘み片９１を持って引き下げると、前記と同様にして移動部材４０を右方向に移動させることができる。この移動に伴ない、垂下状態にある３本の昇降コード９，９，９を引き上げることができ、後のカーテン６ｂを順次引き上げることができる。そして所要の引き上げ状態で、前記ロック具３６を作動させることにより、操作コード９の左方向への移動を阻止できるため、後のカーテン６ｂを所要の引き上げ状態で維持し得る。又、該ロック具３６のロック状態を前記と同様にして解除することにより、後のカーテン６ｂを下降させることができる。
【実施例２】
【００４４】
前記実施例１における昇降カーテン装置１においては、前記移動部材４０が左端側Ａから右端側Ｂにまで移動することにより、その移動距離の２倍に相当する量分、カーテンが上昇することになるため、該昇降カーテン装置によるときは、丈の大きいカーテンを効果的に昇降させることができる。
【００４５】
これに対して、図２１〜２２に示す昇降カーテン装置１は、カーテン６の丈が比較的短かい場合に応用されており、前記実施例と異なるのは、前記ローラ状案内部４９に案内されて支持バー５の右方向に折り返された昇降コード９の端部１０９を、図２３に示すように移動部材４０の左端側に設けた支持ピン１１０に例えば結着により止着する一方、前記と同様構成のロック具３６に通された操作コード６５の端部１１１を、図２３に示すように、移動部材の右端側に設けた支持ピン１１２に例えば結着により止着した点である。
【００４６】
かかる構成の昇降カーテン装置１によるときは、操作コード６５を引き下げるに伴い、移動部材４０が右方向に移動する。それに伴い、該移動部材４０の移動分だけ各昇降コード９，９，９が引き上げられ、これにより、カーテン６がその分、引き上げられることになる。図２１は、カーテン６が完全に下ろされた状態を示し、又図２２は、カーテン６が完全に引き上げられた状態を示す。
【実施例３】
【００４７】
図２４〜２７は、本発明に係る昇降カーテン装置１のその他の態様を示すものであり、前記実施例１における昇降カーテン装置１と異なるのは、図２６に拡大して示すように、支持バー５の左端部側に、前記ローラ状案内部４９の上側に位置させて更に、ローラ状案内部１１３を配設する一方、前記移動部材４０の左右のローラ状支持部８５，８６の外側に位置させて支持ピン１１５，１１６を設けている。加えて図２７に拡大して示すように、前記ロック具３６を構成するケースの先端稍上側に位置させて、ローラ状案内部１１７を設けている。
【００４８】
そして、各昇降コード９の上端側が、前記下のローラ状案内部４９に案内されて右方向に折り返されて後、前記移動部材４０のローラ状支持部８５に案内されて左方向に折り返され、その後、前記上のローラ状案内部１１３に案内されて右方向に折り返され、図２６に示すように、昇降コード９の端部１１９が移動部材４０の前記左側の支持ピン１１５に、例えば結着により止着されている。
【００４９】
又、前記ロック具３６を通過した操作コード６５の上側部分１２０（図２４）が前記移動部材４０のローラ状案内部８６（図２６）に案内されて右方向に折り返されて後、これが前記ローラ状案内部１１７に案内され、該操作コード６５の端部１２１が、図２６に示すように、前記移動部材４０の前記右側の支持ピン１１６に、例えば結着により止着されている。
【００５０】
然して、かかる構成を有する昇降カーテン装置１によるときは、移動部材４０が、図２４に示す左端部側Ａから図２５に示す右端部側Ｂに移動することにより、各昇降コード９，９，９が、該移動部材の移動距離の３倍の長さ分、引き上げられることになる。これにより、第１の実施の形態におけるカーテン装置を構成するカーテンよりも更に丈の長いカーテンであっても、昇降させることできる。
【００５１】
又前記のように、支持バーの左端部側においてローラ状案内部１１３を追加し、且つロック具３６側にもローラ状案内部１１７を設け、加えて、前記移動部材４０の左端側に昇降コードの端部を取り付けると共に、操作コード６５の端部を移動部材４０の右端部側に取り付ける構成を採用し、昇降コードの折り返し回数と操作コードの折り返し回数を同数としているため、操作コード６５を引き下げた分だけ、カーテン６を引き上げることができる。
【実施例４】
【００５２】
本発明は、前記実施の形態で示したものに限定されるものでは決してなく、「特許請求の範囲」の記載内で種々の設計変更が可能であることはいうまでもない。その一例を挙げれば次のようである。
【００５３】
(1) 前記実施例１、２、３に係る昇降カーテン装置１は、カーテン６が完全に下ろされた状態において、移動部材４０が支持バー５の左端部側に位置する場合に関してのものである。
【００５４】
これに対して図２８〜２９、図３０〜３１、図３２〜３３に示す昇降カーテン装置１は、夫々、カーテン６が完全に下ろされた状態において、前記移動部材４０が支持バー５の右端部側に位置する場合に関するものであり、昇降コード９を案内するローラ状案内部４９が支持バー５の右端部側に配置されている。
【００５５】
図２８〜２９に示す昇降カーテン装置１にあっては、前記コードガイド４１に案内されて右方向に延長した昇降コード９が、前記ローラ状案内部４９に案内されて左方向に折り返されて後、前記移動部材４０に設けたローラ状支持部１２３に案内されて右方向に折り返され、ロック具３６のケース７１に設けられた止着部１２５に例えば結着により止着されている。又前記ロック具３６に通された操作コード６５は、左方向に延長すると共に、前記支持バー５の左端部側に設けられたローラ状案内部１２６に案内されて右方向に折り返され、その後、前記移動部材４０に設けられたローラ状支持部１２７に案内されて左方向に折り返され、その端部が、支持バー５の左端部側１２４に例えば結着により止着されている。
【００５６】
然して、かかる構成の昇降カーテン装置１によるときは、カーテン６が完全に下ろされた図２８に示す状態で、前記ロック具３６から垂下状態にある昇降コード６５を下方向に引き下げることにより、移動部材４０を、図２９に示すように左方向に移動させることができ、これに伴い、カーテン６を、ひだ状部分が積み重なった状態で引き上げることができる。図２９は、カーテン６が完全に引き上げられた状態を示す。
【００５７】
又図３０〜３１に示す昇降カーテン装置１は、前記ローラ状案内部４９に案内された各昇降コード９が、移動部材４０の右側部位１２４に止着されると共に、ロック具３６に通された操作コード６５が左方向に延長され、且つ、支持バー５の左端部側に設けられたローラ状案内部１２６に案内されて右方向に折り返され、その端部が、前記移動部材４０の左側部位１２８に止着されている。
【００５８】
然して、かかる構成の昇降カーテン装置１によるときは、カーテン６が完全に下ろされた図３０に示す状態で、前記ロック具３６から垂下状態にある昇降コード６５を引き下げることにより、移動部材４０を、図３１に示すように左方向に移動させることができ、これに伴い、カーテンを、ひだ状部分が積み重なった状態で引き上げることができる。図３１は、カーテンが完全に引き上げられた状態を示す。
【００５９】
又図３２〜３３に示す昇降カーテン装置１は、前記ローラ状案内部４９に案内された各昇降コード９が、前記移動部材４０の右側に設けられたローラ状支持部１２３に案内されて右方向に折り返されて後、支持バー５の右端部側に設けられたローラ状案内部１３０に案内されて左方向に折り返され、その端部が、移動部材４０の右側部位１２４に止着されている。又ロック具３６に通された操作コード６５は、左方向に延長されると共に、前記支持バー５の左端部側に設けられたローラ状支持部１３１に案内されて右方向に折り返され、その後、前記移動部材４０の左側に設けられたローラ状案内部１３２に案内されて左方向に折り返されると共に、該支持バー５の左端部側に設けられたローラ状案内部１３３に案内されて右方向に折り返され、その端部が前記移動部材４０の左側部位１２８に止着されている。
【００６０】
然して、かかる構成の昇降カーテン装置１によるときは、カーテンが完全に下ろされた図３２に示す状態で、前記ロック具３６から垂下状態にある昇降コード６５を引き下げることにより、移動部材４０を、図３３に示すように左方向に移動させることができ、これに伴い、カーテン６を、ひだ状部分が積み重なった状態で引き上げることができる。図３３は、カーテン６が完全に引き上げられた状態を示す。
【００６１】
(2) 移動部材４０に設けられた動滑車に昇降コードを案内させる場合、動滑車の数を増やせば、昇降コードの折り返し回数を増やすことができるため、丈のより長いカーテンを昇降させることができる。
【００６２】
(3) 本発明に係る昇降カーテン装置１は、図３４に示すような一重カーテンに応用することもできる他、例えば三重カーテン等の多重カーテンに応用することもできる。
【００６３】
(4) 本発明に係る昇降カーテン装置１を二重カーテンに応用した場合、前後のカーテンに対応して設ける移動部材４０は、両カーテンが完全に下ろされた状態において、支持バーの同一端部側に位置するとは限らず、両移動部材が支持バーの両端部側に分かれて配設されることもある。
【００６４】
(5) 前記移動部材４０の移動量は、カーテンの丈との関係で設定されるものであり、支持バーの略全長に亘って移動するとは限らず、丈の短いカーテンにあっては、支持バーの長さの一定範囲で移動する。
又図３５に示す昇降カーテン装置１は、前後のカーテン６ａ，６ｂの双方を、スラット１３５を多段に配設してなる従来と同様構成のブラインドを用いて構成した二重ブラインドに応用した場合を示すものであり、各カーテン（ブラインド）において昇降コード９は、各スラット１３５に設けられたスリット状のコード挿通部１３７に上から下に向けて挿通せしめられ、その下端部１３９が、最下端のスラット受板１４０に固定状態とされている。該昇降コード９の上端側の案内状態は前記実施の形態で示したものと同様である。
又本発明に係る昇降カーテン装置１は、前記のようなブラインドとしてのカーテンと、従来一般に用いられているシート状のカーテンとの組み合わせで構成されることもある他、一重のブラインドに応用されることもある。
本発明は、昇降コードを昇降操作することによってカーテンの上昇と下降を行うように構成された各種の昇降カーテン装置として応用され得る。
【００６５】
(6) 例えば、図１９や図２４に示すように、昇降コード９が移動部材４０の支持部８５に案内されて折り返される場合において、ロック具３６に通された操作コード６５の端部を、図２１に示すように移動部材４０に止着することがある。同様に、図２８や図３２に示すように、昇降コード９が移動部材４０の支持部８５に案内されて折り返される場合において、ロック具３６に通された操作コード６５の端部を、図３０に示すように移動部材４０に止着することがある。逆に、操作コード６５が移動部材４０の支持部に案内されて折り返される場合、案内部４９に案内された昇降コード６５が移動部材４０に止着されることもある。これは、カーテンが重い場合に有効である。
【００６６】
(7) 前記移動部材４０は、昇降コード９と操作コード６５とを支持できる構成のものであればよく、例えば図３６〜３７に示すようなリング状に構成されることもある。
【００６７】
(8) 本発明に係る昇降カーテン装置１を二重カーテンに応用する場合、図１に示すように、後のカーテン６ａのコード挿通部９９が、該後のカーテンの後の面部１０３に設けられることの他、図３８に示すように、該コード挿通部９９が後のカーテン６ｂの前の面部１４２に設けられることもある。
【００６８】
(9) 又、本発明に係る昇降カーテン装置１が二重カーテンとして応用される場合、前後のカーテン６ａ，６ｂの丈が異なることある。
【００６９】
(10)本発明に係る昇降カーテン装置１は、建物の窓部に対して設置されることの他、間仕切りとして用いられることもあり、前後のカーテン６ａ，６ｂを、使用目的に応じて所要に構成できる。
【００７０】
(11)昇降コードの下端側が固定状態とされるカーテンの上下方向の所要部位とは、カーテンの下端側や中間の所要部位を意味する。特に下端側に設けるとは、カーテンの下端寄りの部位に設けることを意味し、カーテンの最下端乃至その近傍部位に設けるものには限られない。カーテンの最下端から稍上側に設ける態様の一つとしては、カーテンが、上下幅が５乃至２０ｃｍ程度に形成されたフリル状の裾装飾片を有する場合において、該裾装飾片の上側に位置させて設ける態様を挙げることができる。
【００７１】
(12)昇降コードを案内する前記コードガイド４１は、カーテン６の上端側に直接的に設けられることもある。
【００７２】
(13)昇降コードをカーテンの上下方向の所要部位に固定状態とするとは、該先端部をカーテンに固着することの他、例えば図３９に示すように、球状部等として形成された下端部１４３が、カーテンの所要部位に設けられたリング状等をなす係合部１４５の下縁部分１４６と係合する固定状態等を含むものである。
【００７３】
(14)カーテン６の面部に上下所要間隔で設けられたコード挿通部９９は、例えば図４０に示すように、カーテンに設けられた透孔として構成されることもある。
【００７４】
(15)操作コードをロックする前記ロック具３６は、所要に昇降操作された昇降コードをロックさせ得る各種構成のものを採用できる。
【００７５】
(16)カーテンの上縁部分が取着される支持バーは、前記実施例で示したボックス型をなすものには特定されない。
【００７６】
(17)昇降コードを案内する前記コードガイドや案内部、支持部は、摩擦抵抗を少なくする
上からローラが好ましいが、ピン状等であってもよい。
【００７７】
(18)昇降コードの本数は、カーテンの幅に応じて所要本数に設定される。
【００７８】
(19)図４１は、本発明に係る昇降カーテン装置１をカーテンを二重に具える場合に応用されたその他の態様を示すものであり、前後のカーテン６ａ、６ｂに対応して設けられるロック具３６を、支持バー５の両端側に一個づつ設けている。
【図面の簡単な説明】
【００７９】
【図１】本発明に係る昇降カーテン装置を、前後のカーテンが下ろされた状態で示す側面図である。
【図２】その斜視図である。
【図３】その昇降カーテン装置において、前のカーテンを引き上げた状態を示す斜視図である。
【図４】本発明に係る昇降カーテン装置を説明する一部破断の斜視図である。
【図５】昇降カーテン装置を構成する支持バー、第１の端面部材、案内部材、コードガイド部材を示す斜視図である。
【図６】本発明に係る昇降カーテン装置を構成する支持バー、第２の端面部材、コードガイド部材を示す斜視図である。
【図７】支持バーの左端側に第１の端面部材を固定すると共に、コードガイド部材を支持バーに取り付けた状態を示す断面図である。
【図８】支持バーにコードガイド部材を取り付けた状態を示す断面図である。
【図９】支持バーに取り付けられたコードガイド部材による昇降コードの案内状態を示す斜視図である。
【図１０】支持バーの右端部側に第２の端面部材を固定すると共に、コードガイド部材を該支持バーに取り付けた状態を、昇降コードの案内状態及び操作コードの案内状態と共に示す断面図である。
【図１１】支持バーの右端部側に固定されたロック具による操作コードのロック状態を示す断面図である。
【図１２】支持バーと、該支持バーの長さ方向に移動し得る移動部材を示す斜視図である。
【図１３】支持バー内に納められた移動部材を示す平面図である。
【図１４】３本の昇降コード及び操作コードの案内状態を、移動部材が左端部側にある状態で示す斜視図である。
【図１５】その左側部分の拡大図である。
【図１６】前後のカーテンの下端側部分に対する昇降コード及び操作コードの取り付け状態を示す側面図である。
【図１７】支持バーに対する前後のカーテンの取り付け状態及び、前後のカーテンに対する昇降コードの取り付け状態を示す側面図である。
【図１８】前のカーテンに対する昇降コードの取り付け状態を示す正面図である。
【図１９】カーテンに取り付けられる３本の昇降コード及び、操作コードの案内状態を、移動部材が左端部側にある状態で示す正面図である。
【図２０】３本の昇降コード及び操作コードの案内状態を、移動部材が右端部側にある状態で示す正面図である。
【図２１】本発明に係る昇降カーテン装置の他の態様を、移動部材が左端部側にある状態で示す正面図である。
【図２２】その昇降カーテン装置を、移動部材が右端部側にある状態で示す正面図である。
【図２３】その昇降カーテン装置に用いる移動部材をその使用状態で示す斜視図である。
【図２４】本発明に係る昇降カーテン装置のその他の態様を、移動部材が左端部側にある状態で示す正面図である。
【図２５】その昇降カーテン装置を、移動部材が右端部側にある状態で示す正面図である。
【図２６】その昇降カーテン装置を構成する移動部材を、昇降コード及び操作コードの案内状態と共に示す斜視図である。
【図２７】その昇降カーテン装置を構成する移動部材を、昇降コード及び操作コードの案内状態と共に示す斜視図である。
【図２８】本発明に係る昇降カーテン装置のその他の態様を、移動部材が右端部側にある状態で示す正面図である。
【図２９】その昇降カーテン装置を、移動部材が左端部側にある状態で示す正面図である。
【図３０】本発明に係る昇降カーテン装置のその他の態様を、移動部材が右端部側にある状態で示す正面図である。
【図３１】その昇降カーテン装置を、移動部材が左端部側にある状態で示す正面図である。
【図３２】本発明に係る昇降カーテン装置のその他の態様を、移動部材が右端部側にある状態で示す正面図である。
【図３３】その昇降カーテン装置を、移動部材が左端部側にある状態で示す正面図である。
【図３４】一重のカーテンに応用された昇降カーテン装置を示す正面図である。
【図３５】二重ブラインドに応用された本発明に係る昇降カーテン装置を示す一部断面の側面図である。
【図３６】移動部材のその他の態様をその使用状態で示す斜視図である。
【図３７】移動部材のその他の態様をその使用状態で示す斜視図である。
【図３８】本発明に係る昇降カーテン装置のその他の態様を、前後のカーテンを引き上げた状態で示す側面図である。
【図３９】昇降コードをカーテンの所要部位に固定状態とする他の態様を示す側面図である。
【図４０】コード挿通部の他の態様を示す断面図である。
【図４１】ロック具を支持バーの両端部側に設けた二重昇降カーテン装置を示す正面図である。
【図４２】従来の二重昇降カーテン装置を説明する部分斜視図である。
【図４３】従来の二重昇降カーテン装置を説明する一部欠切の正面図である。
【符号の説明】
【００８０】
１  昇降カーテン装置
５  支持バー
６  カーテン
９  昇降コード
３５  案内部材
３６  ロック具
３９  コードガイド部材
４０  移動部材
４１  コードガイド
４９  案内部
６５  操作コード
８５  支持部
８６  支持部
９９  コード挿通部
１１３  ローラ状案内部
１１７  ローラ状案内部
【図１】
2005058473.tif 000003
【図２】
2005058473.tif 000004
【図３】
2005058473.tif 000005
【図４】
2005058473.tif 000006
【図５】
2005058473.tif 000007
【図６】
2005058473.tif 000008
【図７】
2005058473.tif 000009
【図８】
2005058473.tif 000010
【図９】
2005058473.tif 000011
【図１０】
2005058473.tif 000012
【図１１】
2005058473.tif 000013
【図１２】
2005058473.tif 000014
【図１３】
2005058473.tif 000015
【図１４】
2005058473.tif 000016
【図１５】
2005058473.tif 000017
【図１６】
2005058473.tif 000018
【図１７】
2005058473.tif 000019
【図１８】
2005058473.tif 000020
【図１９】
2005058473.tif 000021
【図２０】
2005058473.tif 000022
【図２１】
2005058473.tif 000023
【図２２】
2005058473.tif 000024
【図２３】
2005058473.tif 000025
【図２４】
2005058473.tif 000026
【図２５】
2005058473.tif 000027
【図２６】
2005058473.tif 000028
【図２７】
2005058473.tif 000029
【図２８】
2005058473.tif 000030
【図２９】
2005058473.tif 000031
【図３０】
2005058473.tif 000032
【図３１】
2005058473.tif 000033
【図３２】
2005058473.tif 000034
【図３３】
2005058473.tif 000035
【図３４】
2005058473.tif 000036
【図３５】
2005058473.tif 000037
【図３６】
2005058473.tif 000038
【図３７】
2005058473.tif 000039
【図３８】
2005058473.tif 000040
【図３９】
2005058473.tif 000041
【図４０】
2005058473.tif 000042
【図４１】
2005058473.tif 000043
【図４２】
2005058473.tif 000044
【図４３】
2005058473.tif 000045